(57)【要約】      （修正有）【課題】同じ太さの丸形状のテンションメンバよりも十分な強度が得られる。【解決手段】1乃至複数の光ファイバ1と、この光ファイバ1に沿って配置されたテンションメンバー2と、これら光ファイバ1とテンションメンバー2とを一体に覆い且つ長辺と短辺とを持つシース4とで構成された光ファイバケーブル8において、テンションメンバー2は断面構造が略四角形状を成している。これにより、十分に大きな強度を得ることができる。【選択図】図１
2005202298.tif 000002
【特許請求の範囲】
【請求項１】
1乃至複数の光ファイバと、この光ファイバに沿って配置されたテンションメンバーと、これら光ファイバとテンションメンバーとを一体に覆い且つ長辺と短辺とを持つシースとで構成された光ファイバケーブルにおいて、テンションメンバーは断面構造が略四角形状を成していることを特徴とする光ファイバケーブル。
【請求項２】
シースは断面形状が略楕円形状を成していることを特徴とする請求項１に記載の光ファイバケーブル。
【請求項３】
シースは断面形状が略長方形状を成していることを特徴とする請求項１に記載の光ファイバケーブル。
【請求項４】
テンションメンバーは断面形状が略長方形状を成していることを特徴とする請求項１乃至請求項３のいずれか１に記載の光ファイバケーブル。
【請求項５】
テンションメンバーは断面形状が略正方形状を成していることを特徴とする請求項１乃至請求項３のいずれか１に記載の光ファイバケーブル。
【請求項６】
テンションメンバーは光ファイバの両サイドに配置されたことを特徴とする請求項１乃至請求項５のいずれか１に記載の光ファイバケーブル。
【請求項７】
光ファイバに近い位置のシースの両側面にはそれぞれノッチが形成されていることを特徴とする請求項１乃至請求項６のいずれか１に記載の光ファイバケーブル。
【請求項８】
四角形状のテンションメンバの各辺は四角形状のシースの各辺に平行に配置されたことを特徴とする請求項３乃至請求項７のいずれか１に記載の光ファイバケーブル。
【請求項９】
略長方形状のシースの長辺に沿ってテンションメンバー、光ファイバ、テンションメンバーがこの順で配置され、略長方形状のテンションメンバーの短辺がシースの長辺に沿って配置されたことを特徴とする請求項６乃至請求項８のいずれか１に記載の光ファイバケーブル。
【発明の詳細な説明】
【技術分野】
【０００１】
本発明は、光ファイバケーブルに関するものである。特に、光ファイバの宅内への引き込みに使用するドロップ光ファイバケーブルや宅内、構内での取り回しに使用されるインドア光ファイバケーブルにおいて用いられる光ファイバケーブルに関するものである。
【背景技術】
【０００２】
近年、光加入者線路網の構築が急速に進んでいる。従来、幹線光ファイバケーブルから各家庭などの宅内に引き込むための引き込み用光ファイバケーブルとして図６に示すようなドロップ光ファイバケーブル７が使用されている。この光ファイバケーブル７は１本の光ファイバ心線又は複数本の光ファイバ心線を寄せ集めて断面が円形又は長方形状に集合した光ファイバユニット１（以下本発明ではこれら光ファイバ心線及び光ファイバユニットを単に光ファイバと称する）の両サイドに断面形状が略円形のテンションメンバー２を配置し、更に支持線３を配置し、これら光ファイバ１、テンションメンバ２、及び支持線３に共通にシース４を被せて構成されている。ここで光ファイバ１に近いシース４の両側面にはそれぞれシース４の切り裂きを容易にするためのノッチ５が形成されている。また支持線３は、光ファイバ１、テンションメンバー２とシース４とで構成された光ファイバケーブル本体部６を保持するためのものであり、光ファイバケーブル本体部６とはシース４のクビレ部４’で連結されている。
【０００３】
また、各家庭などの宅内や構内でのとり回しには図７に示すようなインドア光ファイバケーブル８が使用されている。この光ファイバケーブルは図６の光ファイバケーブル７の光ファイバケーブル本体部６と同一構成のもので、支持線３の部分を取り除くことによって構成することも可能である。
【０００４】
一般的にこれらの光ファイバケーブルには、シース３内に上記のようにテンションメンバ２が配置される。このテンションメンバー２は、従来、鋼線が用いられていたが、最近では落雷時のテンションメンバからのサージ電流の影響を避けるために非金属のものが用いられるようになってきた。（例えば特許文献１）
【０００５】
【特許文献１】特開２００３−０９０９４３号公報
【発明の開示】
【発明が解決しようとする課題】
【０００６】
特許文献1等に記載のケーブルでは、非金属のテンションメンバが従来の金属のテンションメンバに対して、引張り弾性率、破断強度等が劣るため、金属のテンションメンバよりも太径のものを使う必要がある。しかしたとえばドロップ光ファイバケーブルのような細径の光ファイバケーブルでは、シースの中でテンションメンバが占める断面積に制限があるため、従来のような丸形状のテンションメンバでは鋼線をテンションメンバに用いた光ファイバケーブルほど十分な強度が得られなかった。
【課題を解決するための手段】
【０００７】
上記課題を解決するため、本発明は、1乃至複数の光ファイバと、この光ファイバに沿って配置されたテンションメンバーと、これら光ファイバとテンションメンバーとを一体に覆い且つ長辺と短辺とを持つシースとで構成された光ファイバケーブルにおいて、テンションメンバーは断面構造が略四角形状を成していることを特徴とする光ファイバケーブルである。
【発明の効果】
【０００８】
本発明は、テンションメンバの断面形状が略長方形状をなしているため、シースの断面形状が略四角形のようなシースの中でテンションメンバが占める断面積に制限があるケーブル中でもテンションメンバの有効断面積を多くとることができ、同太さの丸形状のテンションメンバよりも強度を得ることができる。
【発明を実施するための最良の形態】
【０００９】
シースは断面形状が略楕円形状を成していることを特徴とする。
シースは断面形状が略長方形状を成していることを特徴とする。
テンションメンバーは断面形状が略長方形状を成していることを特徴とする。
テンションメンバーは断面形状が略正方形状を成していることを特徴とする。
テンションメンバーは光ファイバの両サイドに配置されたことを特徴とする。
光ファイバに近い位置のシースの両側面にはそれぞれノッチが形成されていることを特徴とする。
四角形状のテンションメンバの各辺は四角形状のシースの各辺に平行に配置されたことを特徴とする。
略長方形状のシースの長辺に沿ってテンションメンバー、光ファイバ、テンションメンバーがこの順で配置され、略長方形状のテンションメンバーの短辺がシースの長辺に沿って配置されたことを特徴とする。
【００１０】
光ファイバに近い位置のシースの両側面にそれぞれノッチを形成することにより、ノッチの切り欠けをきっかけにシースを裂くことができ、シース中の光ファイバを容易に取り出すことが可能になる。
【００１１】
略長方形状のシースの長辺に沿ってテンションメンバー、光ファイバ、テンションメンバーをこの順で配置し、略長方形状のテンションメンバーの短辺がシースの長辺に沿って配置するこれにより、ノッチの切り欠きをきっかけにシースを裂いたときに、シースが捻られることなく、シース中の光ファイバを取り出すことができる。
【００１２】
テンションメンバの断面形状を正方形に構成することにより、ノッチの切り欠けをきっかけにシースを裂いたときに、ケーブルが捻られることなく、シース中の光ファイバを取り出すことができ、更にケーブルを曲げやすい方向に曲げたときに比較的抵抗無く曲げることができる。
【実施例１】
【００１３】
以下本発明を図示した実施例により説明する。以下の説明では１乃至８の各符号は図６、図７の場合と同一物を示すものである。図１は本発明の実施例であるインドア光ファイバケーブル８を示すもので、光ファイバ１は直径１２５μｍの石英製ファイバ素線に外径２５０μｍとなるよう紫外線硬化樹脂にて被覆されている。テンションメンバー２は、光ファイバ１の両側に光ファイバ１と一直線状となるように配置されたＦＲＰ製の１．２ｍｍ×０．８ｍｍ断面積を有する長方形状に構成されている。シース４は、断面形状が略長方形のノンハロゲン難燃ポリエチレンで構成されている。シース４の長辺は、光ファイバ１及びこの両サイドに配置されたテンションメンバ２の並び方向とほぼ平行となるように配置されている。シース４の断面形状の長辺寸法は４ｍｍ、短辺寸法は２ｍｍである。光ファイバ１に近いシース４の長辺側には、光ファイバ１に沿ってノッチ５が形成されている。
【００１４】
本実施例の光ファイバケーブルは、テンションメンバ２が略長方形状をしているため、断面形状が略長方形であるシース４の中でもテンションメンバ２の有効断面積を多くとることができ、十分な引張り、圧縮強度を保つことができる。さらにテンションメンバ４の長辺がシース４の長辺と平行である場合、図２に示すように、シース４が捻られることな光ファイバ１を取り出すことが可能になる。
【００１５】
これに対してテンションメンバ４の長辺がシース４の短辺と平行である場合、図３に示すように、ノッチ５でのシース４の切り裂き時にシース４が捻られるように裂け、たとえば、光ファイバ１がテープ状光ファイバ心線の場合には、取り出し性が非常に悪くなる。しかしながらこの構造のものはケーブルドラムに巻いたときに巻き癖ができ難い効果を有する。
【実施例２】
【００１６】
図４は本発明の他の実施例を示す断面図である。図１の実施例に対して、テンションメンバ２の辺の寸法が4辺ともほぼ等しく１．０ｍｍとなっている。この光ファイバケーブルは、図１と同様に、光ファイバ１の取り出し性が良好であると同時に、テンションメンバ２の辺のうち、光ファイバケーブルの曲げやすい方向と平行な辺が短いため？、ケーブルの曲げに対する抵抗が少なく、比較的容易に曲げることができる。
【実施例３】
【００１７】
本発明は、図５に示すように、支持線３を持つものであってもよい。また、テンションメンバ２は芳香族ポリアミド繊維（商標名：ケブラー）などでもよい。光ファイバ１は石英製のみならず、プラスチック製であってもよい。光ファイバ１は光ファイバ心線の本数、テープ光ファイバ心数の本数および積層数は適宜選択可能である。さらには、光ファイバ１は単に複数本の光ファイバ心線を撚りあわせたものであっても良く、更にこれら光ファイバ１をシース４内に適宜バラバラに配置したものであっても良い。シース４の材質もポリ塩化ビニル、ポリエチレン、ノンハロゲン難燃ポリエチレンなど適宜選択可能である。
【図面の簡単な説明】
【００１８】
【図１】本発明の一実施例を示す端面図。
【図２】図１の実施例のシースを切り裂いたときの斜視図。
【図３】他の実施例のシースを切り裂いたときの斜視図。
【図４】本発明の他の実施例を示す端面図。
【図５】本発明の更に他の実施例を示す端面図。
【図６】従来の一例を示す端面図。
【図７】従来の他の例を示す端面図。
【符号の説明】
【００１９】
１  光ファイバ
２  テンションメンバ
３  支持線
４  シース
５  ノッチ
６  光ファイバケーブル本体部
７  光ファイバケーブル
８  光ファイバケーブル
【図１】
2005202298.tif 000003
【図２】
2005202298.tif 000004
【図３】
2005202298.tif 000005
【図４】
2005202298.tif 000006
【図５】
2005202298.tif 000007
【図６】
2005202298.tif 000008
【図７】
2005202298.tif 000009